(57)【特許請求の範囲】
【請求項１】
複数の第一の基準電圧を出力する第一の基準電圧生成回路、複数の第二の基準電圧を出力する第二の基準電圧生成回路、選択信号に応じて第一の基準電圧及び第二の基準電圧のいずれか一方を選択する選択回路、この選択回路で選択された基準電圧をもとに、入力データに応じた階調電圧を出力するソースドライバ回路を備え、
上記入力データは、奇数データからなる第一の入力データと、偶数データからなる第二の入力データを有すると共に、上記選択回路は、上記第一の入力データに対して上記第一の基準電圧生成回路または上記第二の基準電圧生成回路の出力を選択する第一の選択回路と、上記第二の入力データに対して上記第一の選択回路の選択した基準電圧生成回路と同じ基準電圧生成回路の出力を選択する第二の選択回路を有し、上記第一の選択回路及び第二の選択回路によって上記入力データの二画素毎に第一の基準電圧と第二の基準電圧を交互に選択することを特徴とする液晶表示装置の駆動回路。
【請求項２】
上記選択回路が上記ソースドライバ回路に内蔵されていることを特徴とする請求項１記載の液晶表示装置の駆動回路。
【発明の詳細な説明】
【０００１】
【発明の属する技術分野】
この発明は、液晶表示装置の駆動回路に関し、特にソースドライバ回路に好適である。
【０００２】
【従来の技術】
従来の液晶表示装置は、ソースドライバ回路から出力された電気信号によって駆動される。ソースドライバ回路から出力される電気信号は、基準電圧生成回路において生成された複数のレベルの基準電圧から、所定の大きさの基準電圧がソースドライバ回路に供給され、これにもとづき、入力データに応じて出力される。
図５は、従来のドット反転駆動によるソースドライバ回路を示すブロック図である。
図５において、１は入力の奇数データ、２は入力の偶数データ、３は複数のレベルの基準電圧を生成してソースドライバ回路に供給する第一の基準電圧生成回路、４は第二の基準電圧生成回路、５は第一の基準電圧生成回路３と第二の基準電圧生成回路４の出力を選択する第一のセレクタ、６は第一の基準電圧生成回路３と第二の基準電圧生成回路４の出力を選択する第二のセレクタ、７は奇数データ１と第一のセレクタ５からの出力値が入力される第一のＤ／Ａ変換回路、８は偶数データ２と第二のセレクタ６からの出力値が入力される第二のＤ／Ａ変換回路、９は第一のＤ／Ａ変換回路７と接続される第一のオペアンプ、１０は第二のＤ／Ａ変換回路８と接続される第二のオペアンプ、１１は第一のセレクタ５及び第二のセレクタ６を制御するＳＥＬ信号である。１２は上記５〜１０で構成されるソースドライバ回路である。
図６は、従来のソースドライバ回路の信号処理を示す図であり、図５の奇数データ１、偶数データ２、ＳＥＬ信号１１とソースドライバ回路の出力データを示している。
【０００３】
次に、図５、図６を用いて、従来のソースドライバ回路の動作について説明する。
図６に示すとおり、ＳＥＬ信号１１が正の時、第一のセレクタ５は第一の基準電圧生成回路３を選択し、ＳＥＬ信号１１が負の時、第一のセレクタ５は第二の基準電圧生成回路４を選択する。第二のセレクタ６は、第一のセレクタ５とは逆の基準電圧生成回路を選択する。その結果、奇数出力データは、正の極性、偶数出力データは負の極性で出力され、次のラインは奇数出力データは負の極性、偶数出力データは正の極性で出力される。その結果、１画素毎に極性を切り換えることができる。
【０００４】
【発明が解決しようとする課題】
従来のドット反転駆動によるソースドライバ回路は、前述のような構成になっており、高速なデータ処理を行うため消費電流が多くなってしまうという問題が生じる。
【０００５】
この発明は、かかる課題を解決するためになされたもので、クロストークの変動を大きくすることなく消費電流を少なくした液晶表示装置の駆動回路を得ることを目的とする。
【０００６】
【課題を解決するための手段】
この発明に係わる液晶表示装置の駆動回路においては、複数の第一の基準電圧を出力する第一の基準電圧生成回路、複数の第二の基準電圧を出力する第二の基準電圧生成回路、選択信号に応じて第一の基準電圧及び第二の基準電圧のいずれか一方を選択する選択回路、この選択回路で選択された基準電圧をもとに、入力データに応じた階調電圧を出力するソースドライバ回路を備え、
入力データは、奇数データからなる第一の入力データと、偶数データからなる第二の入力データを有すると共に、選択回路は、第一の入力データに対して第一の基準電圧生成回路または第二の基準電圧生成回路の出力を選択する第一の選択回路と、第二の入力データに対して第一の選択回路の選択した基準電圧生成回路と同じ基準電圧生成回路の出力を選択する第二の選択回路を有し、第一の選択回路及び第二の選択回路によって入力データの二画素毎に第一の基準電圧と第二の基準電圧を交互に選択するものである。
【０００８】
さらに、選択回路がソースドライバ回路に内蔵されているものである。
【０００９】
【発明の実施の形態】
次に、図面を参照しながら、この発明の液晶表示装置のソースドライバ回路の実施の形態について説明する。
実施の形態１．
図１は、この発明の実施の形態１による液晶表示装置のソースドライバ回路を示すブロック図である。
図１において、３、４、７〜１０は上記従来装置と同一のものであり、その説明を省略する。５は第一の基準電圧生成回路３または第二の基準電圧生成回路４を選択する選択回路である第一のセレクタ、６は第一の基準電圧生成回路３または第二の基準電圧生成回路４を選択する選択回路である第二のセレクタ、１１は第一のセレクタ５または第二のセレクタ６を制御する選択信号であるＳＥＬ信号である。１５は第一の入力データで、奇数データと偶数データにより構成されている。１６は第一の入力データ１５に続く第二の入力データで、奇数データと偶数データにより構成され、第一の入力データ１５と第二の入力データ１６とで画像データを構成する。第一のＤ／Ａ変換回路７には、第一の入力データ１５と第一のセレクタ５からの出力が入力され、第二のＤ／Ａ変換回路８には第二の入力データ１６と第二のセレクタ６からの出力が入力される。
図２は、この発明の実施の形態１による液晶表示装置のソースドライバ回路の信号処理を示す図であり、図１の第一の入力データ１５、第二の入力データ１６、ＳＥＬ信号１１、ソースドライバ回路の出力データを示している。
【００１０】
次に動作について説明する。まず、第一の入力データ１５が第一のＤ／Ａ変換回路７に入力され、第一の基準電圧生成回路３と第二の基準電圧生成回路４のうちどちらかを第一のセレクタ５で選択したものを第一のＤ／Ａ変換回路７に入力し、Ｄ／Ａ処理を行って第一のオペアンプ９へ入力する。また、第二の入力データ１６が第二のＤ／Ａ変換回路８に入力され、第一の基準電圧生成回路３と第二の基準電圧生成回路４のうちどちらかを第二のセレクタ６で選択したものを、第二のＤ／Ａ変換回路８に入力し、Ｄ／Ａ処理を行って第二のオペアンプ１０へ入力する。
その時、ＳＥＬ信号１１が正の時、第一のセレクタ５は第一の基準電圧生成回路３を選択し、ＳＥＬ信号１１が負の時、第一のセレクタ５は第二の基準電圧生成回路４を選択する。第二のセレクタ６は、第一のセレクタ５とは逆の基準電圧生成回路を選択する。この結果、ソースドライバ回路の出力は、図２に示すように２画素毎に極性が正、負と切り変わり、２画素変換にすることができる。
なお、第一のオペアンプ９及び第二のオペアンプ１０の出力は、階調電圧として多数の画素がマトリクス状に配置された表示部に供給され、表示部はこれにもとづく表示を行う。
【００１１】
実施の形態２．
次に、図面を参照しながら、この発明のソースドライバ回路の実施の形態２について説明する。
図３は、この発明の実施の形態２による液晶表示装置のソースドライバ回路を示すブロック図である。
図において、３〜１０は図１におけるものと同一のものであり、その説明を省略する。１は第一の入力データである奇数データ、２は第二の入力データである偶数データである。１７は第一のセレクタ５及び第二のセレクタ６を制御するＳＥＬ信号である。
図４は、この発明の実施の形態２による液晶表示装置のソースドライバ回路の信号処理を示す図であり、奇数データ１、偶数データ２、ＳＥＬ信号１７、ソースドライバ回路の出力データを示している。
【００１２】
次に動作について説明する。まず奇数データ１が第一のＤ／Ａ変換回路７に入力され、第一の基準電圧生成回路３と第二の基準電圧生成回路４のうちどちらかを第一のセレクタ５で選択したものを第一のＤ／Ａ変換回路７に入力し、Ｄ／Ａ処理を行って第一のオペアンプ９へ入力させる。また、偶数データ２が第二のＤ／Ａ変換回路８に入力され、第一の基準電圧生成回路３と第二の基準電圧生成回路４のうちどちらかを第二のセレクタ６で選択したものを第二のＤ／Ａ変換回路８に入力し、Ｄ／Ａ処理を行って第二のオペアンプ１０へ入力する。
【００１３】
その時、ＳＥＬ信号１７が正の時、第一のセレクタ５は第一の基準電圧生成回路３を選択し、ＳＥＬ信号１７が負の時、第一のセレクタ５は第二の基準電圧生成回路４を選択する。第二のセレクタ６は第一のセレクタ５と同じ基準電圧生成回路を選択する。この結果、ソースドライバ回路の出力は、図４に示すように２画素おきに極性が正、負と切り変わり２画素変換にすることができる。
このように、２画素毎にソースドライバ回路の出力信号の極性を変えることにより、消費電流をおさえることができる。
【００１４】
【発明の効果】
この発明は、以上説明したように構成されているので、以下に示すような効果を奏する。
複数の第一の基準電圧を出力する第一の基準電圧生成回路、複数の第二の基準電圧を出力する第二の基準電圧生成回路、選択信号に応じて第一の基準電圧及び第二の基準電圧のいずれか一方を選択する選択回路、この選択回路で選択された基準電圧をもとに、入力データに応じた階調電圧を出力するソースドライバ回路を備え、
入力データは、奇数データからなる第一の入力データと、偶数データからなる第二の入力データを有すると共に、選択回路は、第一の入力データに対して第一の基準電圧生成回路または第二の基準電圧生成回路の出力を選択する第一の選択回路と、第二の入力データに対して第一の選択回路の選択した基準電圧生成回路と同じ基準電圧生成回路の出力を選択する第二の選択回路を有し、第一の選択回路及び第二の選択回路によって入力データの二画素毎に第一の基準電圧と第二の基準電圧を交互に選択するので、消費電流を少なくすることができる。
【００１６】
さらに、選択回路がソースドライバ回路に内蔵されているので、選択回路をドライバＩＣに含めることができる。
【図面の簡単な説明】
【図１】  この発明の実施の形態１による液晶表示装置のソースドライバ回路を示すブロック図である。
【図２】  この発明の実施の形態１による液晶表示装置のソースドライバ回路の信号処理を示す図である。
【図３】  この発明の実施の形態２による液晶表示装置のソースドライバ回路を示すブロック図である。
【図４】  この発明の実施の形態２による液晶表示装置のソースドライバ回路の信号処理を示す図である。
【図５】  従来の液晶表示装置のソースドライバ回路を示すブロック図である。
【図６】  従来の液晶表示装置のソースドライバ回路の信号処理を示す図である。
【符号の説明】
１  奇数データ、  ２  偶数データ、  ３  第一の基準電圧生成回路、
４  第二の基準電圧生成回路、  ５  第一のセレクタ、
６  第二のセレクタ、  ７  第一のＤ／Ａ変換回路、
８  第二のＤ／Ａ変換回路、  １１，１７  ＳＥＬ信号、
１５  第一の入力データ、  １６  第二の入力データ。
【図１】
0003940215.tif 000002
【図２】
0003940215.tif 000003
【図３】
0003940215.tif 000004
【図４】
0003940215.tif 000005
【図５】
0003940215.tif 000006
【図６】
0003940215.tif 000007